(57)【特許請求の範囲】
【請求項１】
振込詐欺であることを振込者に通知するコンピュータシステムであって、
ＡＴＭに設置されたカメラから画像を取得する画像取得手段と、
前記画像を解析し、前記振込者が携帯端末で会話をしているか否かを検知する会話検知手段と、
前記画像を解析し、前記振込者の手の位置と、前記ＡＴＭの画面との位置関係に基づいて、当該振込者が当該ＡＴＭの画面を操作しているか否かを検知する画面操作検知手段と、
前記振込者が会話をしていることを検知し、かつ、前記ＡＴＭの画面を操作していることを検知した場合に、前記振込詐欺の疑いがあると判断する判断手段と、
前記振込詐欺の疑いがあると判断した場合に、前記ＡＴＭ又は前記携帯端末を介して、前記振込詐欺の疑いがあることを前記振込者に通知する通知手段と、
を備えることを特徴とするコンピュータシステム。
【請求項２】
前記画像を解析し、前記振込者の年齢を推測する推測手段と、
をさらに備え、
前記判断手段は、さらに前記振込者が高齢者である場合に、前記振込者に前記振込詐欺の疑いがあると判断する、
ことを特徴とする請求項１に記載のコンピュータシステム。
【請求項３】
前記ＡＴＭに設置されたマイクから音声データを取得する音声取得手段と、
前記音声データを解析し、前記振込者が禁止ワードを発しているか否かを検知する禁止ワード検知手段と、
をさらに備え、
前記判断手段は、さらに前記禁止ワードを検知した場合に、前記振込者に前記振込詐欺の疑いがあると判断する、
ことを特徴とする請求項１に記載のコンピュータシステム。
【請求項４】
前記通知手段が通知を行った後に、実際に前記振込詐欺であったか否かを示す正解データの入力を受け付ける受付手段と、
前記正解データに基づいて、前記振込詐欺の疑いがあると判断する類推精度を向上させる向上手段と、
をさらに備えることを特徴とする請求項１に記載のコンピュータシステム。
【請求項５】
振込詐欺であることを振込者に通知するコンピュータシステムが実行する振込詐欺防止方法であって、
ＡＴＭに設置されたカメラから画像を取得するステップと、
前記画像を解析し、前記振込者が携帯端末で会話をしているか否かを検知するステップと、
前記画像を解析し、前記振込者の手の位置と、前記ＡＴＭの画面との位置関係に基づいて、当該振込者が当該ＡＴＭの画面を操作しているか否かを検知するステップと、
前記振込者が会話をしていることを検知し、かつ、前記ＡＴＭの画面を操作していることを検知した場合に、前記振込詐欺の疑いがあると判断するステップと、
前記振込詐欺の疑いがあると判断した場合に、前記ＡＴＭ又は前記携帯端末を介して、前記振込詐欺の疑いがあることを前記振込者に通知するステップと、
を備えることを特徴とする振込詐欺防止方法。
【請求項６】
振込詐欺であることを振込者に通知するコンピュータシステムに、
ＡＴＭに設置されたカメラから画像を取得するステップ、
前記画像を解析し、前記振込者が携帯端末で会話をしているか否かを検知するステップ、
前記画像を解析し、前記振込者の手の位置と、前記ＡＴＭの画面との位置関係に基づいて、当該振込者が当該ＡＴＭの画面を操作しているか否かを検知するステップ、
前記振込者が会話をしていることを検知し、かつ、前記ＡＴＭの画面を操作していることを検知した場合に、前記振込詐欺の疑いがあると判断するステップ、
前記振込詐欺の疑いがあると判断した場合に、前記ＡＴＭ又は前記携帯端末を介して、前記振込詐欺の疑いがあることを前記振込者に通知するステップ、
を実行させるためのコンピュータ読み取り可能なプログラム。
【発明の詳細な説明】
【技術分野】
【０００１】
本発明は、振込詐欺であることを振込者に通知するコンピュータシステム、振込詐欺防止方法及びプログラムに関する。
【背景技術】
【０００２】
近年、高齢者から金銭を搾取することを目的とした振込詐欺が発生している。このような振込詐欺において、高齢者が所持する携帯端末を介して、指定口座に金銭を振り込むよう誘導することが行われている。このような振込詐欺の防止策として、現在、様々な対策が講じられている。【０００３】
このような振込詐欺の防止策として、高齢者の端末装置の通話を録音し、録音した通話内容から、この通話が振込詐欺であるか否かを判断するシステムが開示されている（特許文献１参照）。
【先行技術文献】
【特許文献】
【０００４】
【特許文献１】特開２０１７−０７２９９４号公報
【発明の概要】
【発明が解決しようとする課題】
【０００５】
しかしながら、特許文献１の構成では、通話を常時録音する必要があることから、プライバシー保護の観点から、好ましくなかった。【０００６】
本発明は、プライバシーに配慮しつつ、振込詐欺を防止することが可能なコンピュータシステム、振込詐欺防止方法及びプログラムを提供することを目的とする。
【課題を解決するための手段】
【０００７】
本発明では、以下のような解決手段を提供する。【０００８】
本発明は、振込詐欺であることを振込者に通知するコンピュータシステムであって、
ＡＴＭに設置されたカメラから画像を取得する画像取得手段と、
前記画像を解析し、前記振込者が携帯端末で会話をしているか否かを検知する会話検知手段と、
前記画像を解析し、前記振込者が前記ＡＴＭの画面を操作しているか否かを検知する画面操作検知手段と、
前記振込者が会話をしていることを検知し、かつ、前記ＡＴＭの画面を操作していることを検知した場合に、前記振込詐欺の疑いがあると判断する判断手段と、
前記振込詐欺の疑いがあると判断した場合に、前記ＡＴＭ又は前記携帯端末を介して、前記振込詐欺の疑いがあることを前記振込者に通知する通知手段と、
を備えることを特徴とするコンピュータシステムを提供する。【０００９】
本発明によれば、振込詐欺であることを振込者に通知するコンピュータシステムは、ＡＴＭに設置されたカメラから画像を取得し、前記画像を解析し、前記振込者が携帯端末で会話をしているか否かを検知し、前記画像を解析し、前記振込者が前記ＡＴＭの画面を操作しているか否かを検知し、前記振込者が会話をしていることを検知し、かつ、前記ＡＴＭの画面を操作していることを検知した場合に、前記振込詐欺の疑いがあると判断し、前記振込詐欺の疑いがあると判断した場合に、前記ＡＴＭ又は前記携帯端末を介して、前記振込詐欺の疑いがあることを前記振込者に通知する。【００１０】
本発明は、コンピュータシステムのカテゴリであるが、方法及びプログラム等の他のカテゴリにおいても、そのカテゴリに応じた同様の作用・効果を発揮する。
【発明の効果】
【００１１】
本発明によれば、プライバシーに配慮しつつ、振込詐欺を防止することが可能なコンピュータシステム、振込詐欺防止方法及びプログラムを提供することが可能となる。
【図面の簡単な説明】
【００１２】
【図１】図１は、振込詐欺防止システム１の概要を示す図である。
【図２】図２は、振込詐欺防止システム１の全体構成図である。
【図３】図３は、コンピュータ１０の機能ブロック図である。
【図４】図４は、コンピュータ１０が実行する個人情報登録処理を示すフローチャートである。
【図５】図５は、コンピュータ１０が実行する振込詐欺防止処理を示すフローチャートである。
【図６】図６は、コンピュータ１０が実行する振込詐欺防止処理を示すフローチャートである。
【図７】図７は、コンピュータ１０が解析する画像２００の一例を示す図である。
【図８】図８は、コンピュータ１０がＡＴＭを介して通知した振込詐欺通知３００の一例を示す図である。
【発明を実施するための形態】
【００１３】
以下、本発明を実施するための最良の形態について図を参照しながら説明する。なお、これはあくまでも一例であって、本発明の技術的範囲はこれらに限られるものではない。
【００１４】
［振込詐欺防止システム１の概要］
本発明の好適な実施形態の概要について、図１に基づいて説明する。図１は、本発明の好適な実施形態である振込詐欺防止システム１の概要を説明するための図である。振込詐欺防止システム１は、コンピュータ１０から構成され、振込詐欺であることを振込者に通知するコンピュータシステムである。
【００１５】
コンピュータ１０は、ＡＴＭ（Ａｕｔｏｍａｔｉｃ  Ｔｅｌｌｅｒ  Ｍａｃｈｉｎｅ）や予め登録された振込者が所持する携帯端末とデータ通信可能に接続されたコンピュータ装置である。
【００１６】
コンピュータ１０は、ＡＴＭに設置されたカメラが撮影した振込者の画像を取得し、この画像を解析することにより、振込者が携帯端末で会話をしているか（第一条件）及び振込者がＡＴＭの画面を操作しているか（第二条件）の二つの条件を検知する。コンピュータ１０は、この二つの条件を検知した場合、振込者がＡＴＭに対して行う操作が、振込詐欺の疑いがあると判断し、この振込者が操作するＡＴＭ又はこの振込者の携帯端末を介して、振込詐欺の疑いがあることを通知する。
【００１７】
なお、コンピュータ１０は、この画像を解析することにより、振込者の年齢を推測し、上述した二つの条件に加えて、振込者が高齢者であるか（第三条件）を検知してもよい。この場合、コンピュータ１０は、上述した二つの条件に第三条件を加えた三つの条件を検知した場合、振込詐欺の疑いがあると判断する。
【００１８】
また、コンピュータ１０は、ＡＴＭに設置されたマイクから、振込者の音声データを取得し、この音声データを解析することにより、振込者が予め設定された禁止ワード（「口座番号は？」、「いくら入れるの？」等の振込詐欺の常套句）を発しているか（第四条件）を検知してもよい。この場合、コンピュータ１０は、上述した第一条件及び第二条件の二つの条件に、第四条件を加えた三つの条件を検知した場合又は上述した第一条件、第二条件及び第三条件に、第四条件を加えた四つの条件を検知した場合、振込詐欺の疑いがあると判断する。
【００１９】
また、コンピュータ１０は、振込詐欺の疑いがあることを振込者に通知した後に、実際に振込者がＡＴＭに対して行った操作が、振込詐欺であったか否かを示す正解データの入力を、振込者又はＡＴＭの管理者から受け付けてもよい。この場合、コンピュータ１０は、この正解データに基づいて、振込詐欺の疑いがあると判断する類推精度を向上させ、次回以降の判断を向上させた類推精度に基づいて行う。
【００２０】
振込詐欺防止システム１が実行する処理の概要について説明する。
【００２１】
はじめに、コンピュータ１０は、ＡＴＭに設置されたカメラが撮影した振込者の画像を取得する（ステップＳ０１）。このとき、コンピュータ１０は、この画像とともに、この画像の取得元であるＡＴＭの識別子（ＡＴＭを一意に特定可能な情報であり、ＡＴＭの管理番号、製造番号等）を併せて取得する。
【００２２】
コンピュータ１０は、取得した画像を解析する（ステップＳ０２）。コンピュータ１０は、この画像を解析し、画像の特徴点や（形状、輝度、色、輪郭等）や特徴量（画素値の平均、分散、ヒストグラム等）を抽出することにより、画像を解析する。コンピュータ１０は、この解析の結果として、上述した第一条件及び第二条件の二つの条件を検知したか否かを判断する。また、コンピュータ１０は、この解析の結果として、この画像に写り込んだ振込者及びこの振込者の氏名、端末装置のメールアドレスや電話番号等の情報を特定する。例えば、予め振込者の画像と、この振込者の上述した情報とを関連付けて登録しておき、今回の画像に写り込んだ振込者に関連付けられた振込者の情報を特定する。
【００２３】
コンピュータ１０は、上述した二つの条件を検知した場合に、振込詐欺の疑いがあると判断する（ステップＳ０３）。
【００２４】
なお、コンピュータ１０は、画像の解析の結果として、振込者の年齢を推測し、上述した二つの条件に加えて、上述した第三条件を検知したか否かを判断してもよい。この場合、コンピュータ１０は、第一条件、第二条件及び第三条件の三つの条件を検知した場合に、振込詐欺の疑いがあると判断する。
【００２５】
また、コンピュータ１０は、ＡＴＭに設置されたマイクが集音した音声を、振込者の音声データとして取得し、この音声データの解析の結果として上述した第四条件を検知したか否かを判断してもよい。この場合、コンピュータ１０は、上述した第一条件、第二条件及び第四条件の三つの条件を検知した場合、又は、上述した第一条件、第二条件、第三条件及び第四条件の四つの条件を検知した場合、振込詐欺の疑いがあると判断する。
【００２６】
コンピュータ１０は、振込詐欺の疑いがあると判断した場合に、ＡＴＭ又は携帯端末を介して、振込詐欺の疑いがあることを示す振込詐欺通知を、振込者に通知する（ステップＳ０４）。コンピュータ１０は、画像とともに取得したＡＴＭの識別子に基づいて、この振込詐欺通知を通知するＡＴＭを特定し、特定したＡＴＭにこの振込詐欺通知を表示させることにより、振込者に振込詐欺通知を通知する。また、コンピュータ１０は、画像の解析の結果として特定した振込者の情報に基づいて、この振込詐欺通知を通知する端末装置を特定し、特定した振込詐欺通知を表示させることにより、振込者に振込詐欺通知を通知する。
【００２７】
なお、コンピュータ１０は、振込詐欺通知を通知した後に、実際に振込者がＡＴＭに対して行った操作が、振込詐欺であったか否かを示す正解データの入力を、振込者又はＡＴＭの管理者から受け付けてもよい。この場合、コンピュータ１０は、この正解データに基づいて、振込詐欺の疑いがあると判断する類推精度を向上させ、次回以降の判断に用いる。
【００２８】
以上が、振込詐欺防止システム１の概要である。
【００２９】
［振込詐欺防止システム１のシステム構成］
図２に基づいて、本発明の好適な実施形態である振込詐欺防止システム１のシステム構成について説明する。図２は、本発明の好適な実施形態である振込詐欺防止システム１のシステム構成を示す図である。振込詐欺防止システム１は、コンピュータ１０から構成され、振込詐欺であることを振込者に通知するコンピュータシステムである。
【００３０】
コンピュータ１０は、後述の機能を備えた上述したコンピュータ装置である。
【００３１】
［各機能の説明］
図３に基づいて、本発明の好適な実施形態である振込詐欺防止システム１の機能について説明する。図３は、コンピュータ１０の機能ブロック図を示す図である。
【００３２】
コンピュータ１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉ―Ｆｉ（Ｗｉｒｅｌｅｓｓ―Ｆｉｄｅｌｉｔｙ）対応デバイス等を備える。また、コンピュータ１０は、記憶部１３として、ハードディスクや半導体メモリ、記録媒体、メモリカード等によるデータのストレージ部を備える。また、コンピュータ１０は、処理部１４として、画像や音声の解析処理、各種検知処理、各種判断処理等を実行する各種デバイス等を備える。
【００３３】
コンピュータ１０において、制御部１１が所定のプログラムを読み込むことにより、通信部１２と協働して、個人データ取得モジュール２０、撮影データ取得モジュール２１、音声データ取得モジュール２２、通知モジュール２３、正解データ受付モジュール２４を実現する。また、コンピュータ１０において、制御部１１が所定のプログラムを読み込むことにより、記憶部１３と協働して、記憶モジュール３０を実現する。また、コンピュータ１０において、制御部１１が所定のプログラムを読み込むことにより、処理部１４と協働して、解析モジュール４０、推測モジュール４１、会話検知モジュール４２、画面操作検知モジュール４３、禁止ワード検知モジュール４４、判断モジュール４５、通知作成モジュール４６、精度向上モジュール４７を実現する。
【００３４】
［個人情報登録処理］
図４に基づいて、振込詐欺防止システム１が実行する個人情報登録処理について説明する。図４は、コンピュータ１０が実行する個人情報登録処理のフローチャートを示す図である。上述した各モジュールが実行する処理について、本処理に併せて説明する。
【００３５】
個人データ取得モジュール２０は、対象となるユーザ（振込者）の個人データを取得する（ステップＳ１０）。ステップＳ１０において、個人データ取得モジュール２０は、このユーザの画像、氏名、メールアドレス、電話番号等の個人データを取得する。
【００３６】
個人データについて説明する。まず、ユーザは、自身が所有する携帯端末やその他の端末装置により、自身の顔を撮影する。このとき、ユーザは、自身の顔の側面及び前面を撮影する。また、ユーザは、自身の氏名、メールアドレス、電話番号等を所定の入力フォームやメール等に入力する。ユーザは、こうして撮影した画像及び入力内容を、個人データとしてコンピュータ１０に送信する。コンピュータ１０は、この個人データを受信することにより、振込者の個人データを取得する。
【００３７】
なお、振込者の顔は、側面又は前面の何れか一方であってもよい。また、個人データとして入力される項目はその他の項目があってもよく、上述したものは一例である。
【００３８】
記憶モジュール３０は、取得した個人データに基づいて、振込者の個人情報を登録して記憶する（ステップＳ１１）。ステップＳ１１において、記憶モジュール３０は、ユーザの画像と、ユーザの入力内容とを対応付けて、振込者の個人情報を登録する。コンピュータ１０は、この処理により登録した振込者の個人情報を、後述する振込詐欺防止処理において利用する。
【００３９】
以上が、個人情報登録処理である。
【００４０】
［振込詐欺防止処理］
図５及び図６に基づいて、振込詐欺防止システム１が実行する振込詐欺防止処理について説明する。図５及び図６は、コンピュータ１０が実行する振込詐欺防止処理のフローチャートを示す図である。上述した各モジュールが実行する処理について本処理に併せて説明する。
【００４１】
はじめに、撮影データ取得モジュール２１は、ＡＴＭに設置されたカメラが撮影した振込者の画像及びこのＡＴＭの識別子を撮影データとして取得する（ステップＳ２０）。ステップＳ２０において、撮影データ取得モジュール２１は、振込者の全身又は上半身が写り込んだ動画や静止画等の画像及びこのＡＴＭの識別子を併せて取得する。
【００４２】
音声データ取得モジュール２２は、ＡＴＭに設置されたマイクが集音した振込者の音声及びこのＡＴＭの識別子を音声データとして取得する（ステップＳ２１）。ステップＳ２１において、音声データ取得モジュール２２は、振込者が発した音声及びこのＡＴＭの識別子を併せて取得する。
【００４３】
上述したステップＳ２０及びＳ２１の処理は、同一のＡＴＭから取得する処理である。すなわち、これらの処理は、一のＡＴＭに設置されたカメラが撮影した画像及びこの一のＡＴＭに設置されたマイクが集音した音声を取得する処理である。
【００４４】
なお、コンピュータ１０は、ＡＴＭから撮影データのみを取得し、音声データを取得しない構成であってもよい。この場合、後述するコンピュータ１０が実行する処理及び判断において、音声データに関連する処理及び判断を省略し、撮影データに関連する処理及び判断のみを実行すればよい。
【００４５】
解析モジュール４０は、取得した画像を解析する（ステップＳ２２）。ステップＳ２２において、解析モジュール４０は、この画像の特徴点や特徴量を抽出することにより、画像を解析する。例えば、解析モジュール４０は、画像の特徴点として、画像に写り込んだものの形状や輪郭を抽出し、顔認識技術により、この画像に対象となる振込者が写り込んでいるか否かを解析する。また、解析モジュール４０は、抽出した形状や輪郭に基づいて、振込者が携帯端末を保持しているか否かを解析する。また、解析モジュール４０は、抽出した形状や輪郭に基づいて、振込者の手がＡＴＭの画面を操作しているか否かを解析する。加えて、推測モジュール４１は、振込者が写り込んでいる場合、抽出した特徴点や特徴量に基づいた顔認識技術により、この振込者の年齢を推測する。
【００４６】
また、解析モジュール４０は、画像の解析として、この画像に写り込んだ振込者の画像と、登録された個人情報に含まれるユーザの画像とを照合することにより、この振込者の個人情報を解析する。解析モジュール４０は、画像に写り込んだ振込者の画像の特徴点や特徴量と、登録された個人情報に含まれるユーザの画像の特徴点や特徴量とを照合することにより、この振込者がどのユーザに該当するかを特定し、この特定したユーザに対応付けられた個人情報を特定することにより、振込者の個人情報を特定する。
【００４７】
すなわち、解析モジュール４０は、振込者が携帯端末で会話中（第一条件）、振込者がＡＴＭの画面操作中（第二条件）及び振込者が高齢者（第三条件）の三つの条件を其々解析する。
【００４８】
図７に基づいて、解析モジュール４０が実行する画像の解析について説明する。図７は、解析モジュール４０が解析する画像２００の一例を示す図である。図７において、画像２００には、振込者２１０及びＡＴＭ操作画面２２０が写り込んでいる。解析モジュール４０は、この画像２００を解析することにより、まず、振込者２１０の有無を解析する。解析モジュール４０は、解析の結果、振込者２１０が画像２００に存在した場合、この振込者２１０の顔２３０の近傍（口元や耳元等）に携帯端末２４０の有無を解析する。また、解析モジュール４０は、顔２３０を解析し、振込者２１０の年齢を解析する。解析モジュール４０は、解析の結果、顔２３０の近傍に携帯端末２４０が存在した場合、振込者２１０の手２５０の位置と、ＡＴＭ操作画面２２０の位置関係を解析する。
【００４９】
なお、解析モジュール４０が実行する画像の解析の順序は適宜変更可能であり、上述した第一条件、第二条件及び第三条件を其々解析する構成であればよい。
【００５０】
解析モジュール４０は、取得した音声を解析する（ステップＳ２３）。ステップＳ２３において、解析モジュール４０は、この音声の波形を解析することにより、振込者の音声を解析する。解析モジュール４０は、この振込者の音声に、予め設定された禁止ワードの有無（第四条件）を解析する。
【００５１】
なお、上述したステップＳ２２及びＳ２３の処理において、解析モジュール４０は、上述した第一条件、第二条件、第三条件及び第四条件の四つの条件のうち、少なくとも第一条件及び第二条件を解析する構成であればよい。すなわち、解析モジュール４０は、第一条件及び第二条件の二つの条件を解析する構成や、第一条件、第二条件及び第三条件の三つの条件を解析する構成や、第一条件、第二条件及び第四条件の三つの条件を解析する構成であってもよい。
【００５２】
＜第一条件の検知＞
会話検知モジュール４２は、解析の結果、振込者が携帯端末で会話しているか否かを検知する（ステップＳ２４）。ステップＳ２４において、上述した例では、会話検知モジュール４２は、振込者２１０の顔２３０の近傍に携帯端末２４０が存在することを検知したか否かに基づいて、振込者２１０が携帯端末２４０で会話しているか否かを検知する。
【００５３】
ステップＳ２４において、会話検知モジュール４２は、解析の結果、振込者が携帯端末で会話していないことを検知した場合（ステップＳ２４  ＮＯ）、すなわち、振込者２１０の顔２３０の近傍に携帯端末２４０が存在していない場合、判断モジュール４５は、振込詐欺の疑いは少ないと判断し、本処理を終了する。
【００５４】
＜第二条件の検知＞
一方、ステップＳ２４において、会話検知モジュール４２は、解析の結果、振込者が携帯端末で会話していることを検知した場合（ステップＳ２４  ＹＥＳ）、すなわち、振込者２１０の顔２３０の近傍に、携帯端末２４０が存在している場合、画面操作検知モジュール４３は、振込者がＡＴＭの画面を操作しているか否かを判断する（ステップＳ２５）。ステップＳ２５において、上述した例では、画面操作検知モジュール４３は、振込者２１０の手２５０の位置が、ＡＴＭ操作画面２２０を操作する位置に存在することを検知したか否かに基づいて、振込者２１０がＡＴＭの画面を操作しているか否かを検知する。
【００５５】
ステップＳ２５において、画面操作検知モジュール４３は、解析の結果、振込者がＡＴＭの画面を操作していないことを検知した場合（ステップＳ２５  ＮＯ）、すなわち、振込者２１０の手２５０の位置が、ＡＴＭ操作画面２２０を操作する位置に存在していない場合、判断モジュール４５は、振込詐欺の疑いは少ないと判断し、本処理を終了する。
【００５６】
＜第三条件の検知＞
一方、ステップＳ２５において、画面操作検知モジュール４３は、解析の結果、振込者がＡＴＭの画面を操作していることを検知した場合（ステップＳ２５  ＹＥＳ）、すなわち、振込者２１０の手２５０の位置が、ＡＴＭ操作画面２２０を操作する位置に存在している場合、推測モジュール４１は、解析した振込者の年齢を推測する（ステップＳ２６）。ステップＳ２６において、上述した例では、推測モジュール４１は、解析モジュール４０が解析した振込者２１０の顔２３０の解析結果に基づいて、この振込者２１０の年齢を推測する。
【００５７】
推測モジュール４１は、推測した振込者の年齢が高齢者に該当する年齢であるか否かを判断する（ステップＳ２７）。ステップＳ２７において、上述した例では、推測モジュール４１は、推測した振込者２１０の年齢が、６０歳以上であるか否かに基づいて、この判断を行う。これは、振込詐欺の主な被害者の年齢構成が、６０歳以上であるためである。なお、高齢者に該当する年齢は適宜変更可能である。
【００５８】
ステップＳ２７において、推測モジュール４１は、高齢者に該当しない年齢であると判断した場合（ステップＳ２７  ＮＯ）、判断モジュール４５は、振込詐欺の疑いは少ないと判断し、本処理を終了する。
【００５９】
＜第四条件の検知＞
一方、ステップＳ２７において、推測モジュール４１は、高齢者に該当する年齢であると判断した場合（ステップＳ２７  ＹＥＳ）、禁止ワード検知モジュール４４は、解析の結果、禁止ワードを検知したか否かを判断する（ステップＳ２８）。ステップＳ２８において、禁止ワード検知モジュール４４は、取得した振込者の音声を解析した結果、この音声に、予め登録された禁止ワードが含まれているか否かを判断する。
【００６０】
ステップＳ２８において、禁止ワード検知モジュール４４は、禁止ワードを検知していないと判断した場合（ステップＳ２８  ＮＯ）、すなわち、振込者の音声に禁止ワードが含まれていないと判断した場合、判断モジュール４５は、振込詐欺の疑いは少ないと判断し、本処理を終了する。
【００６１】
一方、ステップＳ２８において、禁止ワード検知モジュール４４は、禁止ワードを検知したと判断した場合（ステップＳ２８  ＹＥＳ）、判断モジュール４５は、振込者に振込詐欺の疑いがあると判断する（ステップＳ２９）。
【００６２】
なお、上述したステップＳ２４−Ｓ２９の処理において、コンピュータ１０は、第一条件、第二条件、第三条件及び第四条件の四つの条件に基づいて、振込者に振込詐欺の疑いがあるか否かを判断しているが、上述した通り、この判断を、少なくとも第一条件及び第二条件に基づいて実行してもよい。また、上述したステップＳ２４−Ｓ２９の処理は、その順番を適宜変更可能である。
【００６３】
通知作成モジュール４６は、振込詐欺の疑いがあることを振込者に通知する振込詐欺通知を作成する（ステップＳ３０）。ステップＳ３０において、通知作成モジュール４６は、振込詐欺通知として、振込者が行おうとしているＡＴＭの操作が、振込詐欺によるものである旨のメッセージを作成する。このとき、通知作成モジュール４６が作成するメッセージとしては、例えば、「貴方が行おうとしている操作は、振込詐欺の疑いがあります。窓口までご相談下さい」といったように、振込者に振込詐欺の可能性が高いことを通知するものである。
【００６４】
通知作成モジュール４６は、ＡＴＭに振込詐欺通知を通知する場合、上述したメッセージを、ＡＴＭの操作画面に表示させるともに、振込者がＡＴＭの操作画面を操作不可能な状態に変更するために必要なデータ形式として振込詐欺通知を作成する。また通知作成モジュール４６は、上述したメッセージを、ＡＴＭに設置されたスピーカに放音させるともに、振込者がＡＴＭの操作画面を操作不可能な状態に変更するために必要なデータ形式として振込詐欺通知を作成する。
【００６５】
また、通知作成モジュール４６は、携帯端末に振込詐欺通知を通知する場合、上述したメッセージを、メールやＳＭＳ（Ｓｈｏｒｔ  Ｍｅｓｓａｇｅ  Ｓｅｒｖｉｃｅ）として作成するとともに、振込者が携帯端末の通話を終了させるために必要なコマンドを振込詐欺通知として作成する。また、通知作成モジュール４６は、上述したメッセージを、携帯端末に設けられたスピーカに放音させるために必要なデータ形式として作成するとともに、振込者が携帯端末の通話を終了させるために必要なコマンドを振込詐欺通知として作成する。
【００６６】
通知モジュール２３は、ＡＴＭ又は携帯端末を介して、作成した振込詐欺通知を、この振込者に通知する（ステップＳ３１）。ステップＳ３１において、ＡＴＭを介して、振込詐欺通知を振込者に通知する場合、通知モジュール２３は、取得した撮影データに含まれるＡＴＭの識別子に基づいて、振込詐欺通知を通知するＡＴＭを特定し、この特定したＡＴＭに振込詐欺通知を通知する。ＡＴＭは、この通知された振込詐欺通知を出力する。例えば、振込詐欺通知がメッセージである場合、ＡＴＭの操作画面を、このメッセージに切り替えて表示することにより、振込詐欺通知を振込者に通知する。また、例えば、振込詐欺通知が音声である場合、ＡＴＭの操作画面を振込者が操作不可能な状態に変更し、ＡＴＭに設置されたスピーカからこの振込詐欺通知を放音することにより、振込詐欺通知を振込者に通知する。加えて、通知モジュール２３は、この振込詐欺通知をこのＡＴＭを介して通知する際、振込者が行っている振込操作を一時停止させ、振込に必要な処理を一時停止させるコマンドを併せてこのＡＴＭに送信する。ＡＴＭは、上述した処理に併せて、このコマンドに基づいた処理を実行する。
【００６７】
また、ステップＳ３１において、携帯端末を介して、振込詐欺通知を振込者に通知する場合、通知モジュール２３は、特定した振込者の個人情報に基づいて、振込詐欺通知を通知する端末装置を特定し、この特定した端末装置に、振込詐欺通知を通知する。携帯端末は、この通知された振込詐欺通知を出力する。通知モジュール２３は、例えば、振込詐欺通知がメッセージである場合、特定した個人情報に含まれるメールアドレス宛てに、作成したメールを送信するとともに、上述したコマンドを端末装置に送信する。携帯端末は、このメールを受信した際、通話を終了させ、このメッセージを表示することにより、振込詐欺通知を振込者に通知する。また、振込詐欺通知が音声である場合、通知モジュール２３は、特定した端末装置に上述したコマンドを送信するとともに、この端末装置に発呼する。携帯端末は、このコマンドを受信した際、通話を終了させ、新たな通話を開始し、この振込詐欺通知を、スピーカから放音することにより、振込詐欺通知を振込者に通知する。また、通知モジュール２３は、この振込詐欺通知を携帯端末を介して通知する際、取得した撮影データに含まれるＡＴＭの識別子に基づいて、振込詐欺通知を通知するＡＴＭを特定し、この特定したＡＴＭに、振込者が行っている振込操作を一時停止させ、振込に必要な処理を一時停止させるコマンドを併せて送信する。ＡＴＭは、このコマンドに基づいた処理を実行する。
【００６８】
図８に基づいて、通知モジュール２３がＡＴＭを介して通知する振込詐欺通知について説明する。図８は、通知モジュール２３がＡＴＭを介して通知した振込詐欺通知３００の一例を示す図である。図８において、通知モジュール２３は、振込詐欺通知３００をＡＴＭの操作画面に通知する。このとき、ＡＴＭは、振込詐欺通知３００を、通常の操作画面から画面を切り替えて表示する。ＡＴＭは、この振込詐欺通知３００として、通常のＡＴＭの操作画面とは異なる背景色（本例では、ハッチングによりこれを示す）及び通常のＡＴＭの操作画面とは異なるメッセージ３１０を表示する。ＡＴＭは、このような背景色及び「貴方が行おうとしている操作は、振込詐欺の疑いがあります。窓口までご相談下さい」とのメッセージ３１０を振込詐欺通知３００として表示する。振込者は、この振込詐欺通知画面３００を閲覧することにより、自身が振込詐欺の被害にあっていることを認識することが可能となる。このとき、ＡＴＭは、振込に必要な処理を一時停止している。なお、メッセージ３１０の内容及び背景色は適宜変更可能である。また、背景色は必ずしも通常と異なる必要はない。
【００６９】
通知モジュール２３は、携帯端末に対しても同様の振込詐欺通知を表示させることにより、携帯端末を介して振込詐欺通知を通知する。このとき、ＡＴＭは、振込に必要な処理を一時停止している。
【００７０】
正解データ受付モジュール２４は、振込詐欺通知を通知した後に、実際に、今回振込者が行っている振込の内容が、振込詐欺であったか否かを示す正解データを取得する（ステップＳ３２）。ステップＳ３２において、正解データ受付モジュール２４は、上述した振込詐欺通知を通知したＡＴＭの管理者がこのＡＴＭに入力した正解データ、このＡＴＭの管理者が所持する端末装置により入力された正解データ又は振込詐欺通知を通知した携帯端末により入力された正解データを取得する。正解データ受付モジュール２４は、このように、正解データを取得することにより、正解データの入力を受け付ける。
【００７１】
正解データの入力としては、例えば、振込詐欺通知の後に、携帯端末、ＡＴＭ又は上述した端末装置が、今回の振込が振込詐欺か否かの質問（「振込詐欺でしたか？」等）を表示し、この質問に対する回答（ＹＥＳ／ＮＯ）を受け付けることにより行われる。正解データ受付モジュール２４は、この回答が「ＹＥＳ」である場合、正の正解データとして、この回答が「ＮＯ」である場合、負の正解データとして、其々、正解データを受け付ける。
【００７２】
精度向上モジュール４７は、この受け付けた正解データを学習し、次回以降の振込詐欺の判断時に、上述した四つの条件の類推精度を向上させる（ステップＳ３３）。ステップＳ３３において、精度向上モジュール４７は、受け付けた正解データが、負の正解データであった場合、振込詐欺に対する判断が不正確であったと判断し、振込詐欺の判断の類推精度を向上させる。ここで、精度向上モジュール４７は、この類推精度を向上させるために、解析モジュール４０が実行する、上述した第一条件、第二条件及び第三条件に必要な画像の解析精度を向上させる。例えば、特徴点や特徴量の抽出量の向上、振込者とＡＴＭの操作画面との位置関係の解析精度の向上を実行する。また、精度向上モジュール４７は、この類推精度を向上させるために、解析モジュール４０が実行する、上述した第四条件に必要な音声の解析精度を向上させる。例えば、禁止ワードの追加や細分化、音声認識の精度向上を実行する。
【００７３】
精度向上モジュール４７は、受け付けた正解データが、正の正解データであった場合、振込詐欺に対する判断が正確であったと判断し、振込詐欺の判断の類推精度を現状のまま維持する。
【００７４】
なお、精度向上モジュール４７は、少なくとも上述した第一条件及び第二条件の類推精度を向上させる構成であればよい。また、精度向上モジュール４７は、これら二つの条件に加えて、振込詐欺の判断に第三条件又は第四条件の何れか又は双方を用いる場合には、用いた条件の類推精度を向上させる構成であればよい。
【００７５】
以上が、振込詐欺防止処理である。
【００７６】
上述した手段、機能は、コンピュータ（ＣＰＵ、情報処理装置、各種端末を含む）が、所定のプログラムを読み込んで、実行することによって実現される。プログラムは、例えば、コンピュータからネットワーク経由で提供される（ＳａａＳ：ソフトウェア・アズ・ア・サービス）形態で提供される。また、プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７７】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７８】
１  振込詐欺防止システム、１０  コンピュータ
【図１】
0006959704.tif 000002
【図２】
0006959704.tif 000003
【図３】
0006959704.tif 000004
【図４】
0006959704.tif 000005
【図５】
0006959704.tif 000006
【図６】
0006959704.tif 000007
【図７】
0006959704.tif 000008
【図８】
0006959704.tif 000009